(57)【要約】  本発明は、通信網を用いた結婚約定書の作成システム及び方法に関する。本発明は、一つ以上の使用者端末機から結婚約定書作成要請を受信し、当該結婚生活情報を通信網を介して使用者端末機に転送して、使用者端末機から結婚約定書の仮案の提供要請を受信し、予め保存されている結婚約定書の仮案を使用者端末機に転送して、使用者端末機から詳細条文の挿入要請が受信されると、詳細条文の挿入要請に相応する詳細条文を結婚約定書の仮案に含ませて結婚約定書の草案を生成して使用者端末機に転送する。よって、結婚当事者は、幸福な結婚生活を営むための約束事項を含む結婚約定書をオンライン上でより容易に作成することができる。
2008519366.tif 000002
【特許請求の範囲】
【請求項１】
通信網を介して一つ以上の使用者端末機と結合された結婚約定書の作成システムで実行される結婚約定書の作成方法において、
一つ以上の使用者端末機から結婚約定書作成要請を受信する段階と、
前記使用者端末機から受信される結婚生活情報提供要請に相応する結婚生活情報を通信網を介して前記使用者端末機に転送する段階と、
前記使用者端末機から結婚約定書の仮案の提供要請を受信する段階と、
予め保存されている結婚約定書の仮案を前記使用者端末機に転送する段階と、
前記使用者端末機から詳細条文の挿入要請を受信する段階と、
前記詳細条文の挿入要請に相応する詳細条文を前記結婚約定書の仮案に含ませて結婚約定書の草案を生成する段階と、
前記結婚約定書の草案を前記使用者端末機に転送する段階と、
前記結婚約定書の草案に対する補完事項の入力を受けたり、前記使用者端末機から修正要請を受信する段階と、
前記補完事項または前記修正要請に相応する結婚約定書の修正本を生成する段階と、及び
前記結婚約定書の修正本を前記使用者端末機に転送する段階と、
を含むことを特徴とする結婚約定書の作成方法。
【請求項２】
前記使用者端末機から使用者検証情報を受信する段階と、及び
前記使用者検証情報を前記結婚約定書の草案または前記結婚約定書の修正本に挿入する段階と、をさらに含み、
前記使用者検証情報は、電子署名、使用者の顔イメージ、虹彩認識情報、指紋の中の少なくともいずれか一つを含み、前記使用者検証情報は、二人以上の使用者に対するものであることを特徴とする請求項１に記載の結婚約定書の作成方法。
【請求項３】
前記使用者端末機から結婚約定書確定要請を受信する段階と、
前記結婚約定書確定要請に相応する前記結婚約定書の修正本に予め保存されている認証書を添付する段階と、及び
前記認証書が添付された結婚約定書の確定本を前記使用者端末機に転送する段階と、
をさらに含むことを特徴とする請求項１に記載の結婚約定書の作成方法。
【請求項４】
前記結婚約定書の確定本を前記使用者端末機に転送する段階は、前記結婚約定書の確定本を予め指定されている電子メール住所に転送することを特徴とする請求項３に記載の結婚約定書の作成方法。
【請求項５】
前記使用者端末機から受信された結婚生活情報提供要請に相応する結婚生活情報を通信網を介して前記使用者端末機に転送する段階は、
前記使用者端末機に予め保存されている複数の離婚事由例示情報を転送する段階と、
前記使用者端末機から受信された離婚事由選択情報に相応する詳細情報を前記使用者端末機に転送する段階と、
前記使用者端末機から幸福な結婚事由要請が受信された場合、予め保存されている複数の幸福な結婚事由例示情報を転送する段階と、及び
前記使用者端末機から受信された幸福な結婚事由選択情報に相応する詳細情報を前記使用者端末機に転送する段階と、
を含むことを特徴とする請求項１に記載の結婚約定書の作成方法。
【請求項６】
前記使用者端末機から前記複数の離婚事由例示情報、前記複数の幸福な結婚事由例示情報のうち、任意の情報に対する選択情報を受信する段階と、
前記選択情報に相応する離婚事由例示情報及び幸福な結婚事由例示情報を用いて結婚約定書別紙を生成する段階と、
前記生成された結婚約定書別紙を通信網を介して前記使用者端末機に転送する段階と、
をさらに含むことを特徴とする請求項５に記載の結婚約定書の作成方法。
【請求項７】
前記使用者端末機から詳細条文の挿入要請を受信する段階は、
前記使用者端末機から詳細条文の提供要請を受信する段階と、
予め保存されている一つ以上の詳細条文例示情報を通信網を介して前記使用者端末機に転送する段階と、及び
前記使用者端末機から受信された選択情報に相応する詳細条文の挿入要請を受信する段階と、
を含むことを特徴とする請求項１に記載の結婚約定書の作成方法。
【請求項８】
複数の使用者端末機は、Ｐ２Ｐ（Ｐｅｅｒ-ｔｏ-Ｐｅｅｒ）接続できることを特徴とする請求項１に記載の結婚約定書の作成方法。
【請求項９】
任意の使用者端末機から前記結婚約定書の確定本に対する修正要請を受信する段階と、
前記修正要請に相応して前記結婚約定書の確定本を更新する段階と、及び
前記更新された結婚約定書の確定本を前記使用者端末機に転送する段階と、
をさらに含むことを特徴とする請求項３に記載の結婚約定書の作成方法。
【請求項１０】
通信網を介して一つ以上の使用者端末機と結合された結婚約定書の作成システムで実行される結婚約定書の作成方法において、
一つ以上の使用者端末機から結婚約定書作成要請及び結婚約定書の仮案の提供要請を受信する段階と、
予め保存されている結婚約定書の仮案を前記使用者端末機に転送する段階と、
前記使用者端末機から結婚生活情報提供要請が受信された場合、前記結婚生活情報提供要請に相応する結婚生活情報を通信網を介して前記使用者端末機に転送する段階であって、前記結婚生活情報とは、離婚事由例示情報、幸福な結婚事由例示情報の中の少なくともいずれか一つである段階と、
前記使用者端末機から詳細条文の挿入要請を受信する段階と、
前記詳細条文の挿入要請に相応する詳細条文を前記結婚約定書の仮案に含ませて結婚約定書の草案を生成する段階と、
前記結婚約定書の草案を前記使用者端末機に転送する段階と、
前記結婚約定書の草案に対する補完事項の入力を受けたり、前記使用者端末機から修正要請を受信する段階と、
前記補完事項または前記修正要請に相応する結婚約定書の修正本を生成する段階と、及び
前記結婚約定書の修正本を前記使用者端末機に転送する段階と、
を含むことを特徴とする結婚約定書の作成方法。
【請求項１１】
前記使用者端末機から使用者検証情報を受信する段階と、及び
前記使用者検証情報を前記結婚約定書の草案または前記結婚約定書の修正本に挿入する段階と、をさらに含み、
前記使用者検証情報とは、電子署名、使用者の顔イメージ、虹彩認識情報、指紋の中の少なくともいずれか一つを含み、前記使用者検証情報は二人以上の使用者に対するものであることを特徴とする請求項１０に記載の結婚約定書の作成方法。
【請求項１２】
前記使用者端末機から結婚約定書確定要請を受信する段階と、
前記結婚約定書確定要請に相応する前記結婚約定書の修正本に予め保存されている認証書を添付する段階と、及び
前記認証書が添付された結婚約定書の確定本を前記使用者端末機に転送する段階とをさらに含むことを特徴とする請求項１０に記載の結婚約定書の作成方法。
【請求項１３】
結婚約定書の作成方法を行うために、結婚約定書の作成サーバで実行できる命令語のプログラムが類型的に具現されており、前記結婚約定書の作成サーバにより判読できる記録媒体において、
一つ以上の使用者端末機から結婚約定書作成要請を受信する段階と、
前記使用者端末機から受信された結婚生活情報提供要請に相応する結婚生活情報を通信網を介して前記使用者端末機に転送する段階と、
前記使用者端末機から結婚約定書の仮案の提供要請を受信する段階と、
予め保存されている結婚約定書の仮案を前記使用者端末機に転送する段階と、
前記使用者端末機から詳細条文の挿入要請を受信する段階と、
前記詳細条文の挿入要請に相応する詳細条文を前記結婚約定書の仮案に含ませて結婚約定書の草案を生成する段階と、
前記結婚約定書の草案を前記使用者端末機に転送する段階と、
前記結婚約定書の草案に対する補完事項の入力を受けたり、前記使用者端末機から修正要請を受信する段階と、
前記補完事項または前記修正要請に相応する結婚約定書の修正本を生成する段階と、及び
前記結婚約定書の修正本を前記使用者端末機に転送する段階と、
を行うプログラムを記録した記録媒体。 
【発明の詳細な説明】
【技術分野】
【０００１】
本発明は、通信網を用いた結婚約定書の作成システム及び方法に関するもので、特に結婚前の約束を履行することにより幸福な結婚生活を営めるようにする、通信網を用いた結婚約定書の作成システム及び方法に関する。
【背景技術】
【０００２】
結婚は、誰においても最も重要な人生の一事件である。特に、多くの知人たちの前で人生を一緒にする配偶者と幸せに暮すことを誓う結婚式は、東西洋を問わず、一番派手な結婚イベントである。
【０００３】
結婚と関連して実施されているサービスには、結婚前の結婚当事者たちのために提供されるサービスとしてカップルマッチングサービスが挙げられる。現在インターネットを介してカップルマッチングサービスを提供している結婚情報会社には、ネオウィズ（ｈｔｔｐ：//ｗｗｗ．ｓａｙｃｕｐｉｄ．ｃｏｍ）、デュオ（ｈｔｔｐ：//ｗｗｗ．ｄｕｏ．ｃｏ．ｋｒ）などがある。このようなインターネット上のカップルマッチングサービス方法は、使用者から所定の使用者情報、例えば、姓名、住所、住民登録番号、連絡先、学歴、身長、職業など、の入力を受けて、入力された使用者情報を用いて異なる使用者の要求条件とのマッチングの可否を判断し、適する双方当事者が検索された場合には双方当事者に出会いの機会を提供することである。そして、インターネットを介して行われているカップルマッチングサービス方法は、加入対象を制限したりマッチング方法を多様化するなどの方法で次第に細分化及び専門化になっている。
【０００４】
このように、結婚を所望する双方当事者に出会いの機会を提供するサービスとしてかなり多様に開発され発展している従来の結婚サービス方法は、双方当事者が結婚を約束した以後、及び結婚生活中の幸福を追求する方法は提示しないという問題点があった。すなわち、結婚前には愛ですべての葛藤を解消または乗り越えることができるが、結婚後には理想より現実に対する重要性が大きくなるため次第に葛藤や争いが多くなる傾向がある。
【０００５】
また、結婚前に当事者間の結婚後の履行事項を文書に残したい場合には、双方当事者が相談して処理することになるが、人生経験からの必要事項が欠けることが多く、約束事項が第３者の公証を得なかったので時間が経つにつれて約束事項に対する履行意志が弱くなる問題点もあった。
【発明の開示】
【発明が解決しようとする課題】
【０００６】
本発明は、上述した問題点を解決するために案出したものであって、本発明の目的は、結婚当事者が幸福な結婚生活を営むために、約束事項を含む結婚約定書をオンライン上でより容易に作成できる、通信網を用いた結婚約定書の作成システム及び方法を提供することにある。
【０００７】
本発明の別の目的は、結婚当事者により作成された結婚約定書に弁護士の検討及び法律事務所の認証書を添付することで、結婚約定書の信頼性を高め、各結婚当事者の履行意志の弱化を防止できる、通信網を用いた結婚約定書の作成システム及び方法を提供することにある。
【０００８】
本発明のさらに別の目的は、結婚当事者が幸福な結婚生活をするために、必要事項を予め分かって責任感のある結婚生活を始めることができるようにする、通信網を用いた結婚約定書の作成システム及び方法を提供することにある。
【０００９】
本発明のさらに別の目的は、同居または事実婚関係を始めようとしたり、既に進行中である人たち間の責任と義務などを明確にすることができるので、無分別な同居または事実婚関係を防止できる、通信網を用いた結婚約定書の作成システム及び方法を提供することにある。
【課題を解決するための手段】
【００１０】
上述した目的を達成するために、本発明の一実施形態によれば、通信網を介して一つ以上の使用者端末機と結合された結婚約定書の作成システムより実行される結婚約定書の作成方法において、
一つ以上の使用者端末機から結婚約定書の作成要請を受信する段階と、上記使用者端末機から受信される結婚生活情報提供要請に相応する結婚生活情報を通信網を介して上記使用者端末機に転送する段階と、上記使用者端末機から結婚約定書の仮案の提供要請を受信する段階と、予め保存されている結婚約定書の仮案を上記使用者端末機に転送する段階と、上記使用者端末機から詳細条文挿入要請を受信する段階と、上記詳細条文挿入要請に相応する詳細条文を上記結婚約定書の仮案に含ませて結婚約定書の草案を生成する段階と、上記結婚約定書の草案を上記使用者端末機に転送する段階と、上記結婚約定書の草案に対する補完事項の入力を受けたり、上記使用者端末機から修正要請を受信する段階と、上記補完事項または上記修正要請に相応する結婚約定書の修正本を生成する段階と、及び上記結婚約定書の修正本を上記使用者端末機に転送する段階と、を含むことを特徴とする結婚約定書の作成方法が提供されるし、当該結婚約定書の作成方法を行うことができるシステム、装置及び記録媒体が提供される。
【００１１】
本発明による結婚約定書の作成方法は、
上記使用者端末機から使用者検証情報を受信する段階と、及び上記使用者検証情報を上記結婚約定書の草案または上記結婚約定書の修正本に挿入する段階と、をさらに含むことができる。この場合、上記使用者検証情報は、電子署名、使用者の顔イメージなどのうち、少なくともいずれか一つであることができ、上記使用者検証情報は、二人以上の使用者に対するものであることを特徴とする。この場合、電子署名は、作成当事者を明確にするための必須条件とし、使用者の顔イメージは選択条件として設定することができる。
【００１２】
また、本発明による結婚約定書の作成方法は、
上記使用者端末機から結婚約定書確定要請を受信する段階と、上記結婚約定書確定要請に相応する上記結婚約定書の修正本に予め保存されている認証書を添付する段階と、及び上記認証書が添付されている結婚約定書の確定本を上記使用者端末機に転送する段階と、をさらに含むことができる。
【００１３】
そして、上記結婚約定書の確定本を上記使用者端末機に転送する段階とは、上記結婚約定書の確定本を予め指定されている電子メール住所に転送することであってもよい。
【００１４】
また、上記結婚約定書の作成方法において、上記使用者端末機から受信される結婚生活情報提供要請に相応する結婚生活情報を通信網を介して上記使用者端末機に転送する段階は、
上記使用者端末機に予め保存されている複数の離婚事由例示情報を転送する段階と、上記使用者端末機から受信された離婚事由選択情報に相応する詳細情報を上記使用者端末機に転送する段階と、上記使用者端末機から幸福な結婚事由要請が受信された場合、予め保存されている複数の幸福な結婚事由例示情報を転送する段階と、及び上記使用者端末機から受信される幸福な結婚事由選択情報に相応する詳細情報を上記使用者端末機に転送する段階とを含むことができる。
【００１５】
また、上記使用者端末機から受信された結婚生活情報提供要請に相応する結婚生活情報を通信網を介して上記使用者端末機に転送する段階は、
上記使用者端末機から上記複数の離婚事由例示情報、上記複数の幸福な結婚事由例示情報のうち、任意の情報に対する選択情報を受信する段階と、上記選択情報に相応する離婚事由例示情報及び幸福な結婚事由例示情報を用いて結婚約定書別紙を生成する段階と、及び上記生成された結婚約定書別紙を通信網を介して上記使用者端末機に転送する段階とをさらに含むことができる。
【００１６】
また、上記結婚約定書の作成方法において上記使用者端末機から詳細条文の挿入要請を受信する段階は、
上記使用者端末機から詳細条文提供要請を受信する段階と、予め保存されている一つ以上の詳細条文例示情報を通信網を介して上記使用者端末機に転送する段階と、及び上記使用者端末機からの選択情報に相応する詳細条文の挿入要請を受信する段階とを含むことができる。
【００１７】
また、本発明による結婚約定書の作成方法を行う複数の使用者端末機は、相互間にＰ２Ｐ（Ｐｅｅｒ-ｔｏ-Ｐｅｅｒ）接続できる。
【００１８】
本発明の好ましい別の実施形態によると、通信網を介して一つ以上の使用者端末機と結合された結婚約定書の作成システムで実行される結婚約定書の作成方法において、
一つ以上の使用者端末機から結婚約定書作成要請及び結婚約定書の仮案の提供要請を受信する段階と、予め保存されている結婚約定書の仮案を上記使用者端末機に転送する段階と、上記使用者端末機から結婚生活情報提供要請が受信された場合、上記結婚生活情報提供要請に相応する結婚生活情報を通信網を介して上記使用者端末機に転送する段階であって、上記結婚生活情報は、離婚事由例示情報、幸福な結婚事由例示情報のうち、少なくともいずれな一つである段階と、上記使用者端末機から詳細条文の挿入要請を受信する段階と、上記詳細条文の挿入要請に相応する詳細条文を上記結婚約定書の仮案に含ませて結婚約定書草案を生成する段階と、上記結婚約定書草案を上記使用者端末機に転送する段階と、上記結婚約定書草案に対する補完事項の入力を受けたり上記使用者端末機から修正要請を受信する段階と、上記補完事項または上記修正要請に相応する結婚約定書の修正本を生成する段階と、及び上記結婚約定書の修正本を上記使用者端末機に転送する段階と、を含むことを特徴とする結婚約定書の作成方法が提供されるし、当該結婚約定書の作成方法を行うことができるシステム、装置及び記録媒体が提供される。
【発明を実施するための最良の形態】
【００１９】
以下、本発明の好ましい実施形態を添付した図面を参照して詳細に説明する。そして、本発明による結婚約定書を作成しようとする使用者とは、主に結婚を控えている新郎・新婦のみを仮定して説明するが、本発明による結婚約定書は、結婚した夫と妻、契約恋愛、事実婚または同居中の両当事者、再婚を所望する両当事者、交際中の異性間にも同様に適用できる。ただし、それぞれの場合、結婚約定書という名称は、結婚維持約定書、同居契約書、恋愛契約書などに多様に変更されることができる。
【００２０】
図１は、本発明の好ましい実施形態による通信網を用いた結婚約定書の作成方法を行うシステムの全体を概略的に示す図面である。
【００２１】
図１を参照すると、結婚約定書の作成システム１２０は、送受信部１３０、保存部１３５、結婚約定書生成部１４０、認証書挿入部１４５及び制御部１５０を含み、結婚当事者が作成した結婚約定書を認証するための法律事務所のシステム中の一部であってもよい。
【００２２】
送受信部１３０は、結婚当事者の使用者端末機１１０から通信網を介して結婚約定書の作成要請を受信し、生成された結婚約定書を使用者端末機１１０に転送する機能をする。使用者端末機１１０とは、通信網を介して結婚約定書の作成システム１２０に接続して結婚約定書の作成のための選択情報を転送することができる装置であれば、何らの制約もなく適用可能であり、例えば、コンピュータ、移動通信端末機、個人携帯端末機（ＰＤＡ：Ｐｅｒｓｏｎａｌ Ｄｉｇｉｔａｌ Ａｓｓｉｓｔａｎｔ）などが該当され得る。
【００２３】
保存部１３５は、結婚当事者の加入情報、例えば、名前、住民登録番号など、結婚当事者が結婚約定書を生成できるようにするための離婚事由情報、幸福な結婚事由情報、結婚約定書の仮案、挿入可能な条文情報、完成された結婚約定書などを保存する。
【００２４】
結婚約定書生成部１４０は、結婚当事者の選択情報を用いて結婚約定書を生成する機能をする。
【００２５】
認証書挿入部１４５は、結婚当事者の選択により生成された結婚約定書に認証書を挿入する機能をする。
【００２６】
制御部１５０は、結婚当事者が結婚約定書の作成システム１２０を用いて結婚約定書を作成できるように、送受信部１３０、保存部１３５、結婚約定書生成部１４０及び認証書挿入部１４５を制御する機能をする。
【００２７】
図２は、本発明の好ましい一実施形態による結婚約定書の作成システムからの結婚約定書の生成方法を示す順序図であり、図３は、本発明の好ましい一実施形態による結婚生活情報の提供プロセスを詳細に示す順序図であり、図４は、本発明の好ましい一実施形態による結婚約定書の草案の生成プロセスを詳細に示す順序図であり、図５は、本発明の好ましい一実施形態による結婚約定書の修正本の生成プロセスを詳細に示す順序図である。
【００２８】
図２を参照すると、結婚約定書の作成システム１２０は、段階２１０で、結婚当事者の使用者端末機１１０から通信網を介して接続情報、例えば、アイディ及びパスワード、が受信されるか否かを判断する。接続情報は、新郎の接続情報、すなわち、第１接続情報と新婦の接続情報、すなわち、第２接続情報を含むことができ、新郎及び新婦に該当する結婚当事者は、結婚約定書の作成システム１２０を用いるために予め会員加入の手続きを行うことが好ましい。
【００２９】
接続情報が受信された場合、段階２１３で、結婚約定書の作成システム１２０は、段階２１０を介して受信された接続情報が有効であるか否かを判断する。すなわち、段階２１３で、結婚約定書の作成システム１２０は、新郎・新婦の存在に対する１次認証を行うことになる。接続情報が有効ではない場合、例えば、すべての接続情報または一部の接続情報が有効ではない場合には、段階２１６に進行して、エラーメッセージ、例えば、“新郎のパスワードが間違います。正しいパスワードを再入力してください”とのメッセージを使用者端末機１１０に転送して、段階２１０に再び進行する。しかし、段階２１０を介して受信された接続情報が有効である場合には段階２２０に進行する。
【００３０】
段階２２０で、結婚約定書の作成システム１２０は、結婚当事者の使用者端末機１１０から受信された選択情報に相応する結婚生活情報、例えば、離婚事由、幸福な結婚生活を営むための事由など、を提供する。
【００３１】
結婚生活情報の提供プロセスを詳細に示した図３を参照すると、段階２４３で、結婚約定書の作成システム１２０は、予め保存されている一つ以上の離婚事由例示情報、例えば、“配偶者の不正行為があった場合”の情報を抽出し通信網を介して使用者端末機１１０に転送する。
【００３２】
段階２４６で、結婚約定書の作成システム１２０は、使用者端末機１１０から任意の離婚事由に対する選択情報を受信し、当該選択情報に相応して予め保存されている関連情報、例えば、詳細情報、予防方法などを転送する。
【００３３】
また、結婚約定書の作成システム１２０は、段階２５０で、幸福な結婚事由情報に対する要請を受信し、予め保存されている一つ以上の幸福な結婚事由、例えば、“相手に信頼を与えるために努力する”との情報を抽出して通信網を介して使用者端末機１１０に転送する。
【００３４】
段階２５３で、結婚約定書の作成システム１２０は、使用者端末機１１０から任意の幸福な結婚事由に対する選択情報を受信し、当該選択情報に相応して予め保存されている関連情報、例えば、詳細情報などを抽出して使用者端末機１１０に転送する。
【００３５】
上述した段階２４３ないし段階２５３は、順次的な段階であってもよいし、使用者の選択に応じて任意的に進行される非連続的な段階であってもよい。
【００３６】
段階２５５で、結婚約定書の作成システム１２０は、使用者端末機１１０から離婚事由または幸福な結婚事由に対する追加情報要請が受信されるか否かを判断する。追加情報要請が受信された場合には段階２４３にさらに進行するし、受信されなかった場合には結婚生活情報の提供プロセスを終了する。
【００３７】
また、図２を参照すると、段階２２３で、結婚約定書の作成システム１２０は、使用者端末機１１０から結婚約定書の仮案の提供要請が受信されるか否かを判断する。結婚約定書の仮案の提供要請が受信された場合には、段階２２６で、結婚当事者情報、例えば、名前、住民登録番号などが含まれた、予め指定されている結婚約定書の仮案を通信網を介して使用者端末機１１０に転送する。しかし、結婚約定書仮案の提供要請が受信されなかった場合には、直ちに段階２３０に進行する。
【００３８】
段階２３０で、結婚約定書の作成システム１２０は、結婚当事者の使用者端末機１１０から受信される選択情報及び結婚約定書の仮案を用いて結婚約定書の草案を生成する。
【００３９】
結婚約定書の草案の生成プロセスを詳細に示した図４を参照すると、段階２６０で、結婚約定書の作成システム１２０は、使用者端末機１１０から結婚約定書に含まれる詳細条文の挿入要請が受信されたか否かを判断する。詳細条文の挿入要請が受信された場合には、段階２６３で、予め保存されている一つ以上の詳細条文の例示情報を抽出し、通信網を介して使用者端末機に転送する。そして、段階２６６で、使用者端末機１１０から詳細条文の選択を受信し、段階２７０に進行して、選択された詳細条文が挿入された結婚約定書の草案を生成し、段階２７３で、通信網を介して生成された結婚約定書の草案を使用者端末機１１０に転送する。勿論、段階２６０ないし段階２７３は、当該結婚当事者が挿入を所望する詳細条文を数回にかけて選択する場合には反復して行われることができる。
【００４０】
再び、図２を参照すると、段階２３３で、結婚約定書の作成システム１２０は、使用者端末機から結婚約定書の草案に対する修正要請、または管理者により補完命令が入力された場合、これに相応する結婚約定書の修正本を生成する。
【００４１】
結婚約定書の修正本の生成プロセスを詳細に示した図５を参照すると、段階２８０で、結婚約定書の作成システム１２０は、使用者端末機１１０から結婚約定書の草案に対する修正要請が受信されることや、結婚約定書の作成システム１２０の管理者、例えば、弁護士などにより結婚約定書の草案に対する補完事項、例えば、内容の修正または追加が入力されたか否かを判断する。段階２３０までの結婚約定書の生成過程は、結婚当事者のみによりなされるので、場合によっては法律的不備な点が存在することがある。よって、結婚約定書の作成システム１２０の管理者による補完過程が必要となることがある。
【００４２】
若し、修正要請事項や補完事項が存在すれば、結婚約定書の作成システム１２０は、段階２８３で、修正要請事項または補完事項を用いて結婚約定書の修正本を生成し、段階２８６に進行して、生成された結婚約定書の修正本を通信網を介して使用者端末機１１０に転送する。
【００４３】
再び、段階２８０を参照して、若し、修正要請事項や補完事項が存在しなければ、結婚約定書の修正本の生成プロセスが終了されて、図２の段階２３６に進行する。
【００４４】
以後、段階２９０で、結婚約定書の作成システム１２０は、使用者端末機１１０から結婚当事者の顔イメージ及び結婚約定書確定要請が受信されたか否かを判断する。顔イメージ及び確定要請が受信されなかった場合には、段階２８０に再び進行する。しかし、顔イメージ及び確定要請が受信された場合には、段階２３６に進行して、結婚約定書の修正本の生成プロセスを終了する。勿論、結婚約定書内に必須要件として挿入される使用者認証情報、すなわち、当事者確認または認証用情報は、電子署名であり、結婚当事者の顔イメージは付随的な挿入情報であってもよい。ただし、ここでは、理解の便宜のために、結婚約定書を作成する際に、結婚当事者の顔イメージを当事者確認または認証用として挿入する場合を仮定して説明する。また、顔イメージと電子署名などがすべて含まれることも可能である。結婚約定書に結婚当事者の顔イメージを挿入する理由は、結婚約定書の作成当事者が追後当該結婚約定書の真偽を確実にして信頼度を高めるためである。当該顔イメージは、使用者端末機１１０と結合されたウェブカメラを用いてリアルタイムに撮影して転送できるし、必要によって、使用者端末機１１０に既に保存されたイメージを用いることもできる。
【００４５】
再び、図２を参照すると、段階２３６で、結婚約定書の作成システム１２０は、予め指定されている認証書を確定された結婚約定書に添付、または挿入する。以後、段階２４０で、結婚約定書の作成システム１２０は、確定された結婚約定書を通信網を介して使用者端末機１１０に転送する。段階２４０の結婚約定書を各結婚当事者に転送する方法としては、各結婚当事者の電子メール住所に転送する方法も適用できる。また、当該結婚約定書は、結婚約定書の作成システム１２０にも保存されて、追後当該結婚当事者の結婚生活中に修正されることも可能である。
【００４６】
以上、結婚約定書を作成する方法において、両当事者が所望する事項を挿入または記載した結婚約定書の草案を１次に提供した後、両当事者の修正要請事項または法律事務所の補完事項が含まれた結婚約定書の修正本を２次に提供して、結婚約定書の修正本が確定された後、法律事務所の認証書を添付する形態に関して説明した。しかし、場合によっては両当者子間の合意のみで結婚約定書の作成を完了することもできる。よって、このような場合には、段階２３３で法律事務所の補完事項を追加する段階や段階２３６の認証書を添付する段階は省略できる。
【００４７】
図６は、本発明の好ましい一実施形態による使用者端末機における結婚約定書の生成方法を示す順序図であり、図７ないし図１６は、本発明の好ましい一実施形態による結婚約定書の作成過程における画面表示の例示図である。
【００４８】
図６は、結婚当事者が使用者端末機１１０を用いて結婚約定書の作成システム１２０、すなわち結婚約定書の作成サービスを提供するウェブサイトに接続して行う結婚約定書の生成過程を示す。図６を参照して使用者端末機における結婚約定書の生成方法を説明することにおいて、理解の便宜のために図７ないし図１６の画面表示の例示図をともに説明する。
【００４９】
図６を参照すると、使用者端末機１１０は、段階３１０で、各結婚当事者からそれぞれの接続情報の入力を受けて、通信網を介して結婚約定書の作成システム１２０に転送する。勿論、ある一人の当事者のみが当該結婚約定書の作成システム１２０の加入会員であった場合にも同様なサービスが提供されるようにすることができるが、ここでは、結婚約定書の信頼性向上のために両当事者がそれぞれ接続情報を入力する場合を中心として説明する。また、両結婚当事者が一つの使用者端末機１１０を用いて一緒に結婚約定書を作成することもできるが、場合によっては、各結婚当事者がそれぞれの使用者端末機１１０を用いて同一なウェブサイトに一緒に接続した後、結婚約定書を作成する方法も適用できる。結婚当事者が一つの使用者端末機１１０を用いて同時に接続情報を入力する場合の画面表示の例示図が図７に示されている。図７に示された接続情報入力画面は、新郎接続情報入力領域４１０、新婦接続情報入力領域４１３及び機能ボタン領域４１６を含む。また、‘幸福な結婚事由’表示ボタンをさらに含むことができる。新郎接続情報入力領域４１０及び新婦接続情報入力領域４１３にそれぞれの接続情報、すなわち、アイディ及びパスワードを入力した後、ログインボタンをクリックすると、当該接続情報は通信網を介して結婚約定書の作成システム１２０に転送される。
【００５０】
また、図６を参照すると、段階３１５で、使用者端末機１１０は結婚約定書の作成システム１２０から一つ以上の離婚事由例示情報を受信し、受信された離婚事由例示情報を表示部にディスプレイした後、任意の結婚当事者から入力された離婚事由選択情報を通信網を介して結婚約定書の作成システム１２０に転送する。そして、段階３１８で、結婚約定書の作成システム１２０から離婚事由関連情報、例えば、詳細説明、予防方法などを受信して表示部にディスプレイする。結婚約定書の作成システム１２０から受信された離婚事由例示情報が表示部にディスプレイされた場合の画面表示の例示図が図８に、離婚事由の詳細説明が表示部にディスプレイされた場合の画面表示の例示図が図９に、予防方法が表示部にディスプレイされた場合の画面表示の例示図が図１０にそれぞれ示されている。
【００５１】
図８を参照すると、離婚事由例示情報表示画面は一つ以上の離婚事由例示情報と‘約定書表示’ボタン、‘取消’ボタンを含む。そして、各結婚当事者が任意の離婚事由例示情報、例えば、“１．配偶者の不正行為があった場合”、をクリックすると示される図９の詳細説明表示画面は、詳細説明、‘予防事由’ボタン、‘幸福事由’ボタン、‘判例表示’ボタン、‘以前段階へ’ボタンを含む。また、各結婚当事者が‘予防事由’ボタンをクリックした場合に示される図１０の予防方法表示画面は、予防方法の詳細説明、‘離婚事由’ボタン、‘幸福事由’ボタン、‘判例表示’ボタン、‘以前段階へ’ボタンを含む。図１０の‘離婚事由’ボタンがクリックされた場合、使用者端末機１１０表示部には、図８のような画面が再び示される。また、‘幸福事由’ボタンは幸福な結婚生活を営むための幸福な結婚事由表示画面（図１１参照）に転換するためのものであり、‘判例表示’ボタンは当該離婚事由に係わった判例を閲覧するためのものであり、‘以前段階へ’ボタンは前段階の画面に転換するためのボタンである。
【００５２】
再び、図６を参照すると、段階３２０で、使用者端末機１１０は結婚約定書の作成システム１２０から一つ以上の幸福な結婚事由情報を受信し、受信された幸福な結婚事由情報を表示部にディスプレイした後、任意の結婚当事者から入力される任意の幸福な結婚事由情報に対する選択情報を通信網を介して結婚約定書の作成システム１２０に転送する。上述したように、幸福な結婚事由情報は、図９または図１０に示した‘幸福事由’ボタンがクリックされた場合、使用者端末機１１０表示部にディスプレイされることができる。以後、使用者端末機１１０は、段階３２３で、段階３２０により転送した選択情報に相応する関連情報、例えば、詳細情報を受信して表示部にディスプレイする。結婚約定書の作成システム１２０から受信された幸福な結婚事由情報が表示部にディスプレイされた場合の画面表示の例示図が図１１に、任意の幸福な結婚事由情報が選択された場合の詳細情報表示画面が図１２に例示されている。図１２に示された‘結婚事由’ボタンがクリックされた場合、再び、図１１のような画面が使用者端末機１１０の表示部にディスプレイされる。
【００５３】
再び、図６を参照すると、段階３２５で、使用者端末機１１０は結婚当事者から追加情報要請が入力されたか否かを判断する。追加情報要請は、また別の離婚事由や幸福な結婚事由などを閲覧するためのものであり、追加情報要請が入力された場合、段階３３０に進行して、追加情報要請を通信網を介して結婚約定書の作成システム１２０に転送し、再び段階３１５に進行する。しかし、追加情報要請が入力されなかった場合には段階３３５に進行する。
【００５４】
段階３３５で、使用者端末機１１０は使用者により結婚約定書の仮案の提供要請が入力されたか否かを判断する。結婚当事者は、図８に示された‘約定書表示’ボタンを選択することにより、結婚約定書の仮案の提供要請を入力することができる。‘約定書表示’ボタンは、図８ないし図１２などにすべて含まれることができ、‘約定書表示’ボタンの代わりに約定書の草案、約定書の修正本などと区別されて‘仮案表示’ボタンに代替されることもできる。結婚約定書の仮案の提供要請が入力された場合、段階３４０で、使用者端末機１１０は結婚約定書の仮案の提供要請を通信網を介して結婚約定書の作成システム１２０に転送し、結婚約定書の作成システム１２０から結婚約定書の仮案を受信して表示部にディスプレイする。図１３に結婚約定書の仮案が例示されている。結婚約定書の仮案は、例えば名前、住民登録番号などの結婚当事者情報、前文、付則などから構成されることができる。結婚当事者情報などは、段階３１０で抽出された使用者情報を用いて生成または挿入されることができる。そして、図１３に示されているように‘下記’項目に基本条文、すなわち、第１条のみが完全な形態で記載されて、その他の詳細条文はブランクに処理されるようにすることができる。しかし、結婚約定書の仮案の提供要請が入力されなかった場合には、段階３４５に進行する。
【００５５】
段階３４５で、使用者端末機１１０は結婚当事者から詳細条文の挿入要請が入力されたか否かを判断する。詳細条文の挿入要請が入力された場合、段階３５０で、使用者端末機１１０は通信網を介して詳細条文の挿入要請を結婚約定書の作成システム１２０に転送する。そして、段階３５５に進行して、結婚約定書の作成システム１２０から詳細条文の例示情報を受信して表示部にディスプレイし、結婚当事者から入力された選択情報を通信網を介して結婚約定書の作成システム１２０に転送する。例えば、結婚当事者は、図１３に示された結婚約定書の仮案の‘細目追加’ボタンをクリックすることにより、詳細条文選択画面が使用者端末機１１０の表示部にディスプレイされるようにすることができる。図１４を参照すると、詳細条文選択画面は詳細条文表示領域及び機能ボタン領域を含む。詳細条文表示領域は、結婚当事者が結婚約定書に挿入することができる複数の詳細条文、例えば、［意思決定］当事者は意思決定の際相互協議する、との内容がディスプレイされる領域であり、結婚当事者が任意の詳細条文を選択した後、下端の‘挿入する’ボタンを選択すると、選択された詳細条文が結婚約定書に挿入される。
【００５６】
段階３６０で、使用者端末機１１０は、結婚約定書の作成システム１２０から結婚約定書の草案を受信し、受信された結婚約定書の草案を表示部にディスプレイする。
【００５７】
段階３６５で、使用者端末機１１０は、結婚当事者から結婚約定書の草案に対する修正要請が入力されたか否かを判断する。修正要請は、結婚約定書の草案の文句修正、詳細条文の追加などをするためのものである。若し、修正要請が入力された場合には、段階３７０で、結婚当事者が指定した事項に対する修正要請を通信網を介して結婚約定書の作成システム１２０に転送する。段階３７５で、使用者端末機１１０は結婚約定書の作成システム１２０から修正要請が反映された結婚約定書の修正本を受信する。しかし、若し修正要請が入力されなかった場合には、段階３８０に直ちに進行する。
【００５８】
段階３８０で、使用者端末機１１０は結婚当事者から顔イメージ及び結婚約定書確定要請が入力されたか否かを判断する。勿論、結婚約定書内に認証書または電子署名を挿入することが必須条件である場合には、電子署名が入力さたか否かをさらに判断することもできる。顔イメージ及び結婚約定書確定要請が受信された場合には、段階３８５に進行して、入力された顔イメージ及び確定要請を通信網を介して結婚約定書の作成システム１２０に転送する。そして、段階３９０で、使用者端末機１１０は結婚約定書の作成システム１２０から結婚約定書を受信して表示部にディスプレイする。図１５には、顔イメージの入力画面が例示されている。顔イメージの入力画面は、顔イメージ選択領域と機能ボタン領域を含む。顔イメージの選択領域は、新郎写真選択領域、新婦写真選択領域及び一緒に撮影した写真選択領域を含む。それぞれの選択領域は‘検索’ボタンと‘撮影’ボタンを含むことができる。‘検索’ボタンは、使用者端末機１１０の保存部に予め保存されている顔イメージを指定するためのものであり、‘撮影’ボタンはウェブカメラを用いてリアルタイムの写真を撮影するためのものである。顔イメージ撮影または指定が完了された後、下端の‘転送’ボタンを選択すると、顔イメージ入力が完了される。顔イメージの入力（及び/または電子署名）及び結婚約定書確定要請が入力されて生成された結婚約定書の確定本の例が図１６に例示されている。図１６を参照すると、図１３の結婚約定書の仮案に比して結婚当事者たちの顔イメージ（及び/または電子署名）、結婚当事者たちが選択した詳細条文、法律事務所の認証書などがさらに含まれている。電子署名が結婚約定書に含まれる場合、電子署名の模様は制限されず、多様に具現されることができる。例えば、図１６には、電子署名が結婚約定書に署名の形態で含まれた場合を仮定したが、以外にも、はんこ、拇印（指紋）などの形態も可能である。結婚当事者たちは、画面下端の‘終了’ボタンを選択することで結婚約定書作成及び確認作業を完了することができる。‘終了’ボタンが選択されると、結婚約定書の作成システム１２０は結婚約定書の確定本を各結婚当事者たちの電子メール住所に転送することができる。
【００５９】
今まで、図２ないし図１６を参照して各結婚当事者の顔イメージ（及び/または電子署名）を結婚約定書に挿入することにより、結婚約定書の真偽可否に対する論難を除去する方法を中心として説明した。以外にも結婚約定書の真偽可否に対する論難を除去するための方法として、結婚当事者個人の身体固有情報を含ませる方法がさらに適用できる。身体固有情報には、指紋、手相、虹彩認識情報などがあり得る。そして、本発明に適用される電子署名とは、署名者を確認して、署名者が当該電子文書に署名したことを示す際に用いるために、当該電子文書に添付されたり、論理的に結合された電子的形態の情報を意味する。電子署名を用いて作成者及び作成者の真偽を識別する方法は、現在、電子契約サービス、インターネット民願サービス、電子税金計算書などに適用されているので、これに対する詳細な説明は略する。
【００６０】
図１７は、本発明の好ましい他の実施形態による結婚約定書の作成システムでの結婚約定書の生成方法を示す順序図であり、図１８ないし図２０は、本発明の好ましい他の実施形態による結婚約定書別紙の作成過程での画面表示の例示図である。
【００６１】
図１７は、本発明の好ましい別の実施形態による結婚約定書の作成システムからの結婚約定書の生成方法を示す順序図であり、図１８ないしず２０は、本発明の好ましい別の実施形態による結婚約定書別紙の作成過程における画面表示の例示図である。
【００６２】
図１７を説明することにおいて、上述の図２を参照して説明した事項と同様な事項に対する重複される説明は略する。
【００６３】
図１７を参照すると、段階５１０で、結婚約定書の作成システム１２０は、使用者端末機１１０から結婚生活情報のうち、任意の選択情報を結婚約定書に含ませるための選択内容包含の要請が受信されたか否かを判断する。結婚当事者は、図１８に示された離婚事由例示情報表示画面から任意の離婚事由を選択することができ、図１９に示された幸福な結婚事由表示画面から任意の幸福な結婚事由を選択することができる。そして、選択された内容は、それぞれの画面下端に示された‘転送’ボタンを用いて結婚約定書の作成システム１２０に転送することができる。
【００６４】
段階５１５で、結婚約定書の作成システム１２０は、受信された選択内容包含の要請に含まれている選択情報を用いて結婚約定書別紙を生成し、生成された結婚約定書別紙を通信網を介して使用者端末機１１０に転送する。
【００６５】
以後、段階５２０で、結婚約定書の作成システム１２０は、使用者端末機１１０から結婚約定書別紙の修正要請、例えば、選択内容の追加、文句修正、項目削除などが受信されたか否かを判断する。別紙の修正要請が受信された場合、段階５２５に進行して、受信された修正要請に相応するように結婚約定書別紙を修正し、修正された結婚約定書別紙を使用者端末機１１０に転送した後、段階５２０に再び進行する。しかし、別紙の修正要請が受信されなかった場合には、段階２２３に進行する。図２０に示された結婚約定書別紙を参照すると、結婚約定書別紙は結婚当事者が選択した離婚事由、すなわち、結婚生活中にしてはいけない行為と、幸福な結婚事由、すなわち、結婚生活中に、守らなければいけない行為と、機能ボタン等とを含む。
【００６６】
図２１は、本発明の好ましいさらに別の実施形態による結婚約定書の作成システムにおける財産分割約定書の生成方法を示す順序図であり、図２２ないし図２４は、本発明の好ましいさらに別の実施形態による財産分割約定書の生成過程における画面表示の例示図である。
【００６７】
図２１に示した財産分割約定書の生成プロセスは、図４を参照して説明した結婚約定書の草案の生成プロセスとは別途のプロセスで動作することもできるが、ここでは、財産分割約定書の生成プロセスが結婚約定書の草案の生成プロセスの一部である場合を中心として説明する。また、上述の図４を参照して説明した事項と同様な事項に対してはその説明を略する。
【００６８】
図２１を参照すると、段階７１０で、結婚約定書の作成システム１２０は、使用者端末機１１０から財産分割約定包含要請が受信されたか否かを判断する。結婚当事者は、結婚約定書の作成システム１２０に相応するウェブページのメニューボタン、または機能ボタンを用いて財産分割約定包含要請を入力することができる。財産分割約定包含要請が受信された場合、段階７１５で、結婚約定書の作成システム１２０は、財産分割約定書の仮案を通信網を介して使用者端末機１１０に転送する。使用者端末機１１０の表示部に財産分割約定書の仮案が表示された場合の画面表示の例示図が図２２に示されている。図２２を参照すると、財産分割約定書の仮案は基本情報、例えば、財産分割約定項目情報、項目別の個別情報の情報及び機能ボタンを含む。
【００６９】
段階７２０で、結婚約定書の作成システム１２０は、使用者端末機１１０から財産分割約定の修正要請が受信されたか否かを判断する。結婚当事者は、図２２に示した任意の財産分割約定項目に相応する‘修正’ボタン、または‘追加’ボタンを選択することで任意の財産分割約定項目情報を修正することができる。図２３は、結婚当事者が‘２．財産分割方法’に対して‘追加’ボタンを選択した場合の画面表示の例示図である。
【００７０】
万一、財産分割約定の修正要請が受信された場合、段階７２５で、結婚約定書の作成システム１２０は、修正要請事項に相応する財産分割約定の修正本を生成し、生成された財産分割約定書の修正本を使用者端末機１１０に転送する。使用者端末機１１０に財産分割約定書の修正本が受信されて表示部に表示された場合の画面表示が図２４に例示されている。図２４に示した財産分割約定書の修正本は‘２．財産分割方法’の（１）番の項目を修正し、（３）番の項目を追加した場合を示す。勿論、当該財産分割方法内の分割割合も当事者により自由に修正できる。
【００７１】
以後、段階７３０で、結婚約定書の作成システム１２０は、使用者端末機１１０から財産分割約定確定要請が受信されたか否かを判断する。財産分割約定確定要請が受信された場合、結婚約定書の作成システム１２０は、結婚約定書の草案及び/または別紙を通信網を介して使用者端末機１１０に転送する。段階７１０ないし段階７３０を介して生成された財産分割約定は、結婚約定書の内容の一部であったり、別途の別紙内容で構成することができる。しかし、財産分割約定確定要請が受信されなかった場合には、段階７２０に再び進行する。
【００７２】
このように、段階７１０ないし段階７３０を介して生成され、法律事務所の公証を受けた財産分割約定を用いると、結婚当事者は離婚する際に、所有財産を円滑に分配することができる。勿論、財産分割約定書と類似である子供の養育権約定を最初約定時またはその後や結婚後に生成する場合、離婚時の最大の障害となる子供の養育権の問題も円滑に解決できる。
【００７３】
図２５は、本発明のさらに別の実施形態による結婚約定書の作成システムにおける結婚約定書の作成方法を示す順序図であり、図２６は、本発明の好ましいさらに別の実施形態による結婚約定書の作成過程における画面表示の例示図である。
【００７４】
上述の図２を参照して説明した事項と同様な事項に対しては簡略に説明する。
図２５を参照すると、結婚約定書の作成システム１２０は、段階９１０ないし段階９２０を介して受信された結婚当事者の接続情報の有効性検事を行う。接続情報が有効である場合、段階９２５で、結婚約定書の作成システム１２０は使用者端末機１１０から結婚約定書の仮案の提供要請が受信されたか否かを判断する。結婚約定書の仮案の提供要請が受信された場合には、段階９３０に進行して、予め作成されている結婚約定書の仮案を通信網を介して使用者端末機１１０に転送する。結婚約定書の仮案が使用者端末機１１０の表示部にディスプレイされた場合の画面表示の例示図が図２６に例示されている。図２６に示した結婚約定書の仮案を参照すると、結婚約定書の仮案は上述したように、例えば名前、住民登録番号などの結婚当事者情報、前文、付則などを含むことができる。そして、‘下記’項目には基本で指定された詳細条文のみが記載され、その他の詳細条文は結婚当事者が希望する場合挿入できるようにする‘細目追加’ボタンが含まれる。また、詳細条文を追加する際に、 詳細条文を円滑に選択するために‘離婚事由’ボタン、‘幸福な結婚事由’ボタン、‘判例表示’ボタンなどがさらに含まれることができる。それぞれのボタンの機能は、上述した説明と同様である。
【００７５】
段階９４０で、結婚約定書の作成システム１２０は、段階９３５で追加された詳細条文を含む結婚約定書の草案を生成する。そして、段階９４５で、結婚約定書の作成システム１２０は使用者端末機１１０から受信された修正要請事項及び結婚約定書の作成システム１２０の管理者による補完事項に相応する結婚約定書の修正本を生成する。
【００７６】
結婚約定書の修正本、または、結婚約定書の草案に対して、使用者端末機１１０から確定要請が受信されると、段階９５０で、結婚約定書の作成システム１２０は、確定された結婚約定書に予め指定されている認証書を添付し、段階９５５に進行して、確定された結婚約定書を通信網を介して結婚当事者の電子メール住所または使用者端末機１１０に転送する。
【００７７】
以上、本発明による結婚約定書の作成方法の遂行過程における画面表示の例示図を説明することにおいて、一つの画面上から順次的な段階で進行されることのみを中心として説明したが、今までの進行段階を別途の画面または同一画面の別途フレームに表示することもできる。また、進行段階の代りに今まで作成された結婚約定書を進行段階とは別途の画面または同一画面の別途フレームに表示することも勿論可能である。
【００７８】
また、今まで本発明による結婚約定書の作成方法及びシステムを、結婚を控えている結婚当事者たちの合意による結婚約定書を作成する方法に対してだけ説明したが、予め作成されている結婚約定書を修正したり、既に結婚した夫婦の経験に基づいて結婚約定書を新規で作成する場合にも同様に適用できる。また、本発明は無分別な同居や事実婚を防止するためにも適用できる。すなわち、同居約定書や事実婚約定書を両当事者が事前に、または同居中に作成することで、より責任感のある同居生活を期待できると同時に同居生活を終える場合にも無責任な別れの宣言を防止することができる。また、再婚を所望する両当事者である場合には、財産分割または子供の養育の側面が大きい障害として作用することがある。よって、本発明を、このような問題点を除去する方法、または補完策として適用することができる。
【００７９】
また、今まで結婚約定書の作成方法及びシステムを用いるために、結婚当事者たちが同一な使用者端末機を用いて同時に作業する過程を中心として説明したが、各結婚当事者が独立された使用者端末機を用いて結婚約定書の作成システムに同時に、または一定した時間間隔を有して接続して、一緒に結婚約定書を完成させることも可能である。この場合、各結婚当事者たちの使用者端末機においてＰ２Ｐ（Ｐｅｅｒ-ｔｏ-Ｐｅｅｒ）接続がなされることもできる。
【００８０】
また、本発明による結婚約定書の作成サービスを用いることにおいて、結婚当事者の一方または両当事者に、作成費用の支払いを請求することができる。また、結婚約定書の作成費用の支払いは、クレジットカード、振込み、サイバーマネーなどの多様な方法によりなされることができる。
【００８１】
図面と発明の詳細な説明は、単に本発明の例示的なものであって、これは、単に本発明を説明するための目的で使用されたものであり、意味限定や特許請求の範囲に記載された本発明の範囲を制限するために使用されたものではない。よって、本技術分野において通常の知識を持った者であれば、これにより多様な変形及び均等な他の実施形態が可能であることを理解できるであろう。よって、本発明の本当の技術的な保護範囲は、添付された特許請求の範囲の技術的思想により定まらなければならない。
【産業上の利用可能性】
【００８２】
上述したように、本発明による結婚約定書の作成システム及び方法は、結婚当事者が幸福な結婚生活を営むための約束事項を含む結婚約定書をオンライン上でより容易に作成できるようにする。
【００８３】
また、本発明は、結婚当事者により作成された結婚約定書に弁護士の検討及び法律事務所の認証書を添付することで、結婚約定書の信頼性を高め、各結婚当事者の履行意志弱化を防止できるようにする。
【００８４】
また、本発明は、結婚当事者たちが幸福な結婚生活のために必要な事項を予め分かって責任感のある結婚生活を始めることができるようにする。
【００８５】
また、本発明による結婚約定書を弁護士事務室が公証することで、当事者たちが離婚する際に、即時財産分割などを執行できる根拠資料として用いることができる。
【００８６】
また、本発明のさらに別の目的は、同居または事実婚関係を始めようとする人たちの間に責任と義務などを明確にすることができ、無分別な同居または事実婚関係に至ることを防止することができる。 
【図面の簡単な説明】
【００８７】
【図１】本発明の好ましい実施形態による通信網を用いた結婚約定書の作成方法を行うシステムの全体を概略的に示す図面である。
【図２】本発明の好ましい一実施形態による結婚約定書の作成システムからの結婚約定書の生成方法を示す順序図である。
【図３】本発明の好ましい一実施形態による結婚生活情報の提供プロセスを詳細に示す順序図である。
【図４】本発明の好ましい一実施形態による結婚約定書の草案の生成プロセスを詳細に示す順序図である。
【図５】本発明の好ましい一実施形態による結婚約定書の修正本の生成プロセスを詳細に示す順序図である。
【図６】本発明の好ましい一実施形態による使用者端末機からの結婚約定書の生成方法を示す順序図である。
【図７】本発明の好ましい一実施形態による結婚約定書の作成過程における画面表示の例示図である。
【図８】本発明の好ましい一実施形態による結婚約定書の作成過程における画面表示の例示図である。
【図９】本発明の好ましい一実施形態による結婚約定書の作成過程における画面表示の例示図である。
【図１０】本発明の好ましい一実施形態による結婚約定書の作成過程における画面表示の例示図である。
【図１１】本発明の好ましい一実施形態による結婚約定書の作成過程における画面表示の例示図である。
【図１２】本発明の好ましい一実施形態による結婚約定書の作成過程における画面表示の例示図である。
【図１３】本発明の好ましい一実施形態による結婚約定書の作成過程における画面表示の例示図である。
【図１４】本発明の好ましい一実施形態による結婚約定書の作成過程における画面表示の例示図である。
【図１５】本発明の好ましい一実施形態による結婚約定書の作成過程における画面表示の例示図である。
【図１６】本発明の好ましい一実施形態による結婚約定書の作成過程における画面表示の例示図である。
【図１７】本発明の好ましい別の実施形態による結婚約定書の作成システムからの結婚約定書の生成方法を示す順序図である。
【図１８】本発明の好ましい別の実施形態による結婚約定書別紙の作成過程における画面表示の例示図である。
【図１９】本発明の好ましい他の実施形態による結婚約定書別紙の作成過程における画面表示の例示図である。
【図２０】本発明の好ましい他の実施形態による結婚約定書別紙の作成過程における画面表示の例示図である。
【図２１】本発明の好ましいさらに別の実施形態による結婚約定書の作成システムかｒの財産分割約定書の生成方法を示す順序図である。
【図２２】本発明の好ましいさらに別の実施形態による財産分割約定書の生成過程における画面表示の例示図である。
【図２３】本発明の好ましいさらに別の実施形態による財産分割約定書の生成過程における画面表示の例示図である。
【図２４】本発明の好ましいさらに別の実施形態による財産分割約定書の生成過程における画面表示の例示図である。
【図２５】本発明のさらに別の実施形態による結婚約定書の作成システムからの結婚約定書の作成方法を示す順序図である。
【図２６】本発明の好ましいさらに別の実施形態による結婚約定書の作成過程における画面表示の例示図である。
【図１】
2008519366.tif 000003
【図２】
2008519366.tif 000004
【図３】
2008519366.tif 000005
【図４】
2008519366.tif 000006
【図５】
2008519366.tif 000007
【図６】
2008519366.tif 000008
【図７】
2008519366.tif 000009
【図８】
2008519366.tif 000010
【図９】
2008519366.tif 000011
【図１０】
2008519366.tif 000012
【図１１】
2008519366.tif 000013
【図１２】
2008519366.tif 000014
【図１３】
2008519366.tif 000015
【図１４】
2008519366.tif 000016
【図１５】
2008519366.tif 000017
【図１６】
2008519366.tif 000018
【図１７】
2008519366.tif 000019
【図１８】
2008519366.tif 000020
【図１９】
2008519366.tif 000021
【図２０】
2008519366.tif 000022
【図２１】
2008519366.tif 000023
【図２２】
2008519366.tif 000024
【図２３】
2008519366.tif 000025
【図２４】
2008519366.tif 000026
【図２５】
2008519366.tif 000027
【図２６】
2008519366.tif 000028
【国際調査報告】
2008519366.tif 000029